(57)【要約】【課題】  既存建物と昇降路建物とをつなぐ通路となる接続部の高さ調整を容易に行える外部エレベータ用の昇降路建物とその構築方法を提供する。【解決手段】  エレベータの昇降路建物１は、既存建物の階段Ａにおける各階の踊り場Ｂの端部に、床パネル３を介して出入り口を接続するように構成する。昇降路建物１は、箱形の建物本体２と、この建物本体２と各階踊り場Ｂの端部とを接続する床パネル３と、この床パネル３を高さ位置調整可能に建物本体２に吊る吊支部材４とを具備する。建物本体２は、最上部付近から既存建物へ向かって張り出す吊り梁５と、踊り場Ｂに対応する高さ位置において床パネル３のエレベータ側の端部を支持する床パネル受け部材６とを具備する。吊支部材４は、吊り梁５と最上階の床パネル３との間及び各上下階の床パネル３・３間を高さ位置調整可能に結合するねじ棒７，８，１０，１１、ターンバックル９，１２を具備する。【選択図】  図１
2007204217.tif 000002
【特許請求の範囲】
【請求項１】
既存建物の階段における各階の踊り場の端部に、床パネルを介して出入り口を接続するように、当該既設建物の外部に構築されるエレベータの昇降路建物であって、
箱形に組み立てられた建物本体と、この建物本体と前記各階の踊り場の端部とを接続する床パネルと、この床パネルを高さ位置調整可能に前記建物本体に吊る吊支部材とを具備し、
前記建物本体は、最上部付近に位置して前記既存建物へ向かって張り出す吊り梁と、前記各階の踊り場に対応する高さ位置において前記床パネルのエレベータ側の端部を支持する床パネル受け部材とを具備し、
前記吊支部材は、前記建物本体の吊り梁と最上階の床パネルとをターンバックルを介して高さ位置調整可能に結合する上下一対のねじ棒と、各上下階の床パネル間をターンバックルを介して高さ位置調整可能に結合する上下一対のねじ棒とを具備することを特徴とするエレベータの昇降路建物。
【請求項２】
前記建物本体は、四隅の主柱材を梁と腹材で接続して箱形に一体に組まれた鉄骨架構を具備し、
前記吊り梁は、前記鉄骨架構の最上部付近に位置して前記既存建物へ向かって左右両側から前記踊り場の端部の上方位置付近まで水平に張り出すように一対設けられることを特徴とする請求項１に記載のエレベータの昇降路建物。
【請求項３】
前記床パネルには、前記既存建物の踊り場に向く一端側の左右に、上下から前記ねじ棒を螺合することができる垂直方向のねじ筒が埋設され、他端側には、前記鉄骨架構の床パネル受け部材との間を所要の高さ調整用スペーサを介してボルトにて接続するための垂直方向のボルト挿通孔が設けられていることを特徴とする請求項１又は２に記載のエレベータの昇降路建物。
【請求項４】
既存建物の階段に隣接して、既存建物の外部に基礎を構築する工程と、
前記基礎の上に接続できるように予め箱形に一体に組み立てられた建物本体を用意する工程と、
構築された前記基礎の上に、前記建物本体を吊り下ろして、建物本体と基礎とを接続する工程と、
前記階段の各階の踊り場の端部と前記建物本体とを接続するための複数の床パネルを用意する工程と、
前記建物本体の上部から前記各階の踊り場に対応する前記床パネルをターンバックルを有する吊支部材にて吊り、各床パネルの高さ位置をターンバックルにて調整することにより、各階の踊り場と建物本体との間を床パネルで接続する工程と、を含むことを特徴とするエレベータ用昇降路建物の構築方法。
【請求項５】
前記既存建物の階段に隣接して、既存建物の外部に基礎を構築する工程と、
構築された前記基礎の上に、予め一体に組み立てられた前記建物本体を接続する工程と、
前記建物本体の吊り梁と前記最上階の床パネルとを前記ターンバックルを介して前記上下一対のねじ棒にて結合し、最上階の床パネルの高さ位置をターンバックルにて調整して、前記最上階の踊り場と前記床パネル受け部材との間を当該床パネル接続する工程と、
前記上下階の床パネルを前記ターンバックルを介して前記上下一対のねじ棒にて結合し、下階の床パネルの高さ位置をターンバックルにて調整して、下階の踊り場と前記建物本体の対応する床パネル受け部材との間を床パネルで接続する工程と、を含むことを特徴とする請求項１に記載のエレベータ用昇降路建物の構築方法。
【発明の詳細な説明】
【技術分野】
【０００１】
この発明は、既存建物の階段における各階の踊り場に接続するように、当該既設建物の外部に構築されるエレベータの昇降路建物と、その構築方法に関する。
【背景技術】
【０００２】
既存建物の階段に接続するように構築される外部エレベータの昇降路建物として、特許文献１に記載されるものが知られている。この昇降路建物は、現場打ちコンクリートにより予め施工された基礎の上に、予め組み立てられた建物本体をクレーンで吊り下げて接続することにより構築されるものである。建物本体は、ユニット化された鉄骨架構の周りを側壁で囲んで構成され、既存建物に対面する側に、階段に接続される接続通路との継手部材を備えている。建物本体の構築が終了した後、既存建物側に突出する継手部材に接続通路を接続し、この接続通路を介してエレベータの搭乗口と既存建物の渡り廊下とを接続して工事が完了する。
【特許文献１】特開２００４−２４４２０８号公報
【発明の開示】
【発明が解決しようとする課題】
【０００３】
上記従来の外部エレベータ用昇降路建物においては、エレベータの搭乗口側の接続継手部材と既存建物の渡り廊下とを接続通路で接続する際の高さ位置の調整手段について何ら考慮されていない。一体にユニット化された建物本体を基礎の上に接続して昇降路建物を構築する工事においては、既存建物との接続部の位置調整に多くの手数と時間を必要とすることが、工期短縮上の大きな問題点となっている。
したがって、この発明は、既存建物と昇降路建物とをつなぐ通路となる接続部の高さ調整を容易に行うことができる外部エレベータ用の昇降路建物と、その構築方法を提供することを課題としている。
【課題を解決するための手段】
【０００４】
上記課題を解決するため、この出願の発明においては、既存建物の階段Ａにおける各階の踊り場Ｂの端部に、床パネル３を介して出入り口を接続するように、エレベータの昇降路建物１を構成する。昇降路建物１は、箱形に組み立てられた建物本体２と、この建物本体２と既存建物の各階踊り場Ｂの端部とを接続する床パネル３と、この床パネル３を高さ位置調整可能に建物本体に吊る吊支部材４とを具備する。建物本体２は、最上部付近に位置して既存建物へ向かって張り出す吊り梁５と、各階の踊り場Ｂに対応する高さ位置において床パネル３のエレベータ側の端部を支持する床パネル受け部材６とを具備する。吊支部材４は、建物本体の吊り梁５と最上階の床パネル３とをターンバックル９を介して高さ位置調整可能に結合する上下一対のねじ棒７，８と、各上下階の床パネル３・３間をターンバックル１２を介して高さ位置調整可能に結合する上下一対のねじ棒１０，１１とを具備する。
上記昇降路建物は、既存建物の階段に隣接して、既存建物の外部に基礎を構築する工程と、構築された基礎の上に、予め一体に組み立てられた建物本体を接続する工程と、建物本体の吊り梁と最上階の床パネルとをターンバックルを介して上下一対のねじ棒にて結合し、最上階の床パネルの高さ位置をターンバックルにて調整して、最上階の踊り場と床パネル受け部との間を接続する工程とを含む方法で構築することができる。
【発明の効果】
【０００５】
この出願の発明に係る昇降路建物１においては、各階の踊り場Ｂに接続される床パネル３が、全て建物本体２の吊り梁５に、ねじ棒７，８，１０，１１とターンバックル９，１２で吊られる構成であるから、例えば建物本体２を、工場製作の一体のユニットとして、現場に搬送し、基礎Ｃ上に接続して昇降路建物１を構築するような工法を採用する場合に、床パネル３の取り付け高さの調整をターンバックル９，１２により簡単に行うことができ、工期の短縮に資するところが大きい。
【発明を実施するための最良の形態】
【０００６】
図面を参照してこの発明の実施の形態を説明する。図１は本発明の昇降路建物の側面図、図２は本発明の昇降路建物の正面図、図３は本発明の昇降路建物の一部の正面図、図４は昇降路建物を構成する鉄骨架構の側面図、図５は昇降路建物を構成する鉄骨架構の正面図、図６は鉄骨架構における吊り梁部の側面図、図７（A）は鉄骨架構における床パネル付近の平面図、（Ｂ）は同側面図である。
【０００７】
図１〜３に示すように、エレベータの昇降路建物１は、建物本体２と、床パネル３と、吊支部材４とを具備する。昇降路建物１は、既存建物の階段Ａにおける３，４，５階の各階の踊り場Ｂの端部に、床パネル３を介して出入り口２２を接続するように、当該既設建物の外部に構築される。
【０００８】
建物本体２は、例えば予め工場にて一体の箱形に組み立てられて、現場に搬送され、予め現場に構築された基礎Ｃ上にクレーンで吊り下ろされ、ボルト・ナットで接続される。
【０００９】
建物本体２と各階の踊り場Ｂの端部とは、床パネル３により接続される。吊支部材４は、床パネル３を、高さ位置を調整可能に、建物本体２に吊り止める。
【００１０】
建物本体２には、最上部付近に位置して、既存建物の階段Ａ側へ向かって張り出す吊り梁５が設けられると共に、各階の踊り場Ｂに対応する高さ位置において床パネル３のエレベータ側の端部を支持する床パネル受け部材６が設けられる。
【００１１】
吊支部材４は、建物本体の吊り梁５と最上階の床パネル３とをターンバックル９を介して高さ位置調整可能に結合する上下一対のねじ棒７，８と、各上下階の床パネル３，３間をターンバックル１２を介して高さ位置調整可能に結合する上下一対のねじ棒１０，１１とを具備する。
【００１２】
一般に、建物本体２を一体のものとして工場で組み立てる場合には、構築現場において、踊り場Ｂとの接続のための位置調整に手間取るが、この実施形態においては、ねじ棒７・８，１０・１１とターンバックル９，１２の調整により、床パネル３の高さ位置を任意に変更することで、位置合わせ作業を迅速に行うことができる。
【００１３】
図４，５に示すように、建物本体２は、Ｈ形鋼材からなる四隅の主柱材１３を梁１４と腹材１５で接続して箱形に一体に組まれた鉄骨架構１６を具備する。
【００１４】
鉄骨架構１６の最上部付近に位置して、既存建物の階段Ａ側へ向かって左右両側から突出するように接続部材１７が設けられる。吊り梁５は、この接続部材１７の先端にボルト・ナットにて現場で接続される。接続部材１７は、床パネル受け部材６と同じ突出寸法を有し、運搬時の安定性を確保し、また運搬時に一部に過度の負荷がかからないようになっている。
【００１５】
床パネル受け部材６は、正面側一対の主柱材１３の所要高さ位置に、工場にて予め固着される。
【００１６】
床パネル３は、既存建物の踊り場Ｂに向く一端側の左右に、上下からねじ棒８，１０（１０，１１）を螺合することができる垂直方向のねじ筒１８が埋設され、他端側には、床パネル受け部材６との間を所要の高さ調整用スペーサ１９を介してボルト２０にて接続するための垂直方向のボルト挿通孔２１が設けられている。
【産業上の利用可能性】
【００１７】
この発明は、既存建物の階段に接続するように構築される外部エレベータの昇降路建物及びその構築方法として利用される。
【図面の簡単な説明】
【００１８】
【図１】本発明の昇降路建物の側面図である。
【図２】本発明の昇降路建物の正面図である。
【図３】本発明の昇降路建物の一部の正面図である。
【図４】昇降路建物を構成する鉄骨架構の側面図である。
【図５】昇降路建物を構成する鉄骨架構の正面図である。
【図６】鉄骨架構における吊り梁部の側面図である。
【図７】（A）は鉄骨架構における床パネル付近の平面図、（Ｂ）は同側面図である。
【符号の説明】
【００１９】
１      昇降路建物
２      建物本体
３      床パネル
４      吊支部材
５      吊り梁
６      床パネル受け部材
７      ねじ棒
８      ねじ棒
９      ターンバックル
１０    ねじ棒
１１    ねじ棒
１２    ターンバックル
１３    主柱材
１４    梁
１５    腹材
１６    鉄骨架構
１７    接続部材
１８    ねじ筒
１９    調整用スペーサ
２０    ボルト
２１    ボルト挿通孔
２２    出入り口
Ａ      既存建物の階段
Ｂ      踊り場
Ｃ      基礎
【図１】
2007204217.tif 000003
【図２】
2007204217.tif 000004
【図３】
2007204217.tif 000005
【図４】
2007204217.tif 000006
【図５】
2007204217.tif 000007
【図６】
2007204217.tif 000008
【図７】
2007204217.tif 000009